(57)【要約】【課題】    高齢者や病人等の弱者がテーブルの椅子に着席しても、椅子を前に引く、後ろに戻す、立ち上がると言う動作は容易ではない。容易に回動できると共に、前後動できる椅子を得る。【解決手段】  複数の脚１ａを有する脚部１と、この脚部１に載置された台座２に載置された回転板７と、この回転板７に一端が蝶接された座板１５とを備えた椅子１００において、上記台座２の外周部近傍に設けられた複数のボール４を有するボール部材３と、上記台座２のほぼ中心部の前後方向に穿設された長穴５と、この長穴５に挿通され長穴５の前後方向に往復動できると共に上記台座２と上記回転板７とを連結するシャフト１１と、上記回転板７に設けられ上記ボール４に係合して回転板７が円周方向に回動及び前後動可能な複数の誘導溝９，９ａとを備える。【選択図】図１２
0003127136.tif 000002
【実用新案登録請求の範囲】
【請求項１】
複数の脚を有する脚部と、この脚部に載置された台座と、この台座に載置された回転板と、この回転板に一端が蝶接された座板とを備えた椅子において、上記台座の外周部近傍に設けられ複数のボールを有するボール部材と、上記台座のほぼ中心部の前後方向に穿設された長穴と、この長穴に挿通され長穴の前後方向に往復動できると共に上記台座と上記回転板とを連結するシャフトと、上記ボールに係合して回転板が円周方向に回動可能な誘導溝を備えたことを特徴とする椅子。
【請求項２】
上記回転板に、上記誘導溝と分岐して上記回転板が前後方向へ移動可能とする複数の誘導溝を設けたことを特徴とする請求項１記載の椅子。
【請求項３】
上記ボール部材をボールキャスターにしたことを特徴とする請求項１または２記載の椅子。
【考案の詳細な説明】
【技術分野】
【０００１】  本考案は床上に載置して使用される椅子に関するものである。
【背景技術】
【０００２】  従来の回動又は前後動の出来る椅子は、前後動するために脚の下にキャスターが取り付けられているものが広く流通している。（例えば、特許文献１参照。特許文献２参照）。
【特許文献１】特開２００１−３５３０３６号公報
【特許文献２】実開平７−９３２７号公報
【考案の開示】
【考案が解決しようとする課題】
【０００３】  上述の様な従来の椅子は、脚の下にキャスターが取り付けられているため、高齢者や病人等、足腰の弱い人が椅子に掴まったり、着座しようとしたり、着座から立ち上がろうとしたりした時、不意に椅子が動いて転倒する危険があった。又、ブレーキ付きのキャスターが取り付けられているものもあるが、その場に応じて、ブレーキをかけたり緩めたりする行為は座っている人が自身では出来ないので人の手が必要であり、大いに面倒であった。本考案は上述のような問題点を解決するために考案されたもので、容易に回動できると共に前後動のできる椅子を得ることを目的とする。
【考案を解決するための手段】
【０００４】複数の脚を有する脚部と、この脚部に載置された台座と、この台座に載置された回転板と、この回転板に一端が蝶接された座板とを備えた椅子において、上記台座の外周部近傍に設けられた複数のボールを有するボール部材と、上記台座のほぼ中心部の前後方向に穿設された長穴と、この長穴に挿通された長穴の前後方向に往復動できると共に上記台座と、上記回転板とを連結するシャフトと、上記ボールに係合して回転板が円周方向に回動可能な複数の誘導溝とを備えたものである。
【０００５】  また、上記回転板に、上記誘導溝と分岐して上記回転板が前後方向へ移動可能とする複数の誘導溝を設けたものである。
【０００６】    さらに、上記ボール部材をボールキャスターにしたものである。
【考案の効果】
【０００７】この考案は、以上説明したように構成されているので、以下に示すような効果を奏する。
【０００８】この考案の椅子は、複数の脚を有する脚部と、この脚部に載置された台座と、この台座に載置された回転板と、この回転板に一端が蝶接された座板とを備えた椅子において、上記台座の外周部近傍に設けられた複数のボールを有するボール部材と、上記台座のほぼ中心部の前後方向に穿設された長穴と、この長穴に挿通された長穴の前後方向に往復動できると共に上記台座と、上記回転板とを連結するシャフトと、上記ボールに係合して回転板が円周方向に回動可能な複数の誘導溝とを備えるようにしたので、椅子を容易に回動できる。
【０００９】また、上記回転板に、上記誘導溝と分岐して上記回転板が上記ボールに係合して前後方向へ移動可能とする複数の誘導溝を設けたので、椅子を容易に回動できると共に容易に前後動できる。
さらに、上記ボール部材をボールキャスターにしたので、摩擦が少なくなり、椅子を容易に回動できると共に容易に前後動できる。
【考案を実施するための最良の形態】
【００１０】    図１は、本考案の実施の形態を示す椅子の斜視図である。図２は、図１において閉じている足置き台を開いて使用状態にした斜視図である。図３は、台座を示す斜視図である。図４は、キャッチ具とキャッチ具用突起を示す拡大斜視図である。図５は、シャフトとシャフト取付板を示す拡大斜視図である。図６は、台座の上に係合する回転板を示す底面図である。図７は、ボールキャスターのボールとその上に係合している回転板の誘導溝を示す拡大断面図である。図８は、本考案の椅子の平面図である。図９は、本考案の側面図である。図１０は、本考案の正面図である。図１１は、図８のＡ−Ａ断面図である。図１２は、図８のＢ−Ｂ断面図である。図１３は、座板の底面と回転板の平面を示す斜視図である。【００１１】    図１において、１００は椅子であり、脚部１と、この脚部１の上に載置された台座２（図３に示す）と、回転板７と、この回転板７に一端が蝶接された座板１５と、脚置き台１９等により構成されている。脚部１は図３に示すように、台座２を支える４本の脚１ａを有し、後脚は外方向と後方向に開き、前脚は外方向に開き、前後方向に対しては垂直に形成されている。これは図６の回転板７が回動する時、回転板７と一体になっている足置き台１９が前脚に接触するのを防ぐためである。そして後脚と前脚を連結している床に接する部分は重心が前方向に移動しても転倒することのないよう前方向に長く形成されている。【００１２】    次に台座２は、図３に示す様に、例えば木製又は合成樹脂の厚板で形成され、台座２の平面の外周部近傍の四角にボール部材すなわちボールキャスター３が設けられている。４はボールキャスター３の頭部に挿入されたボールである。５は長穴であり、台座２のほぼ中心部の前後方向に設けられ、シャフト１１（図６に示す）が貫通し、前後方向に往復動できるように形成されている。６はキャッチ具であり、図４に示す様に、キャッチ具用突起１０及び、図６に示すシャフト１１に押されて出入りする三角バネ６ａを有し、長穴の前部左右と、台座２の中心部左右両端に設けられている。【００１３】  １１はシャフトであり、図５に示す様に、シャフト取付板１２に固着され、図６に示す様に、回転板７の底面の中心に挿入されている。また、シャフト１１は回転板７の平面より貫通し、シャフト取付板１２をビスで固定することにより、シャフト１１も同時に固定されている。そして、シャフト１１を中心にして、回転板７が円周方向に回動可能な第一の誘導溝９が２本形成されている。また、この第一の誘導溝９の分岐点９ｂから後方向（図６の水平方向）へ分岐した直線形の第２の誘導溝９ａが４本形成されている。前記誘導溝９，９ａの断面の形は、図７に示す様に、ボール４が誘導溝９，９ａに係合するように、円弧状に形成されている。１０はキャッチ具用突起であり、拡大図は、図４に示されている。そして図１に示す様に、回転板７の両横に、ひじ木２２、後部に背もたれ２３が設けられ、前部に開閉の出来る足置き台１９が、ヒンジ１８で取り付けられている。前記足置き台１９には、図２に示す様に、鉄片２０、磁石２１が設けられている。【００１４】    次に本考案の使用方法を説明する。
回転板７は、ヒンジ１８により座板１５と一体になっており、図９に示すように矢印方向に前後動可能である。回転板７が後位置の状態でテーブル（図示せず）と椅子１００との間に、人が入れるくらいの間隔を確保して椅子１００を床上に載置する。この状態は回転板７の誘導溝９と９ａの分岐点９ｂ（図６に示す）がボール４の上に係合している状態で、ここより前方向、及び回動が可能な位置となる。ここで座板１５の後方がコイルスプリング１６により若干高くなっている座板１５に座れば体重で、回転板７に重接するところまで下がる。ここで両手で両横のひじ木２２を持ち、前方向に引けば、ボール４が誘導溝９ａを転がって回転板７は軽く前方向へ二点鎖線で示す位置へ移動できる。この時、回転板７に固定されたシャフト１１は長穴５の前部に有り、長穴５の前部の左右に設けられたキャッチ具６（図３に示す）の三角バネ６ａ（図４に示す）にキャッチされ、どちらにも動かない状態となる。【００１５】    また、座るのに介助が必要な人は、回転板７が後位置（実線の位置）の時、椅子１００を９０度回動させれば、第一の誘導溝９は終点となりキャッチ具用突起１０は三角バネ６ａにキャッチされ、どちらにも動かない状態となる（図４に示す）。そして足置き台１９が必要なときは、図２に示すように、磁石２１で吸着され閉じている足置き台１９を開き、足を乗せて正面方向に回動するように少し強めに力を入れると、キャッチが解かれて正面方向へ軽く回動する。前記正面方向への回動は誘導溝９をボール４が転がって回動する。そして、正面を向き前方向に移動させれば、前記と同じくキャッチ具６の三角バネ６ａにシャフト１１がキャッチされ、どちらにも動かない状態になる。【００１６】    こんどは、反対にテーブルから離れて立ち上がる時は、椅子１００を後ろ方向に少し強めに力を入れると、シャフト１１はキャッチを解かれ後方向へ軽く移動する。そして、立ち上がる動作に入れば、圧縮されているコイルスプリング１６の反発力により、臀部が押し上げられて立ち上がりを介助する。【００１７】    なお、本考案の椅子は、図６に示すように円形の誘導溝９を２本形成しているが、図３に示すボールキャスター３を一つの円周上に配置すれば、誘導溝９を１本に形成することも出来る。【００１８】  また、本考案の椅子では、図３に示すように、ボールキャスター３を４個使用しているが、ボールキャスター３の数は増減できる。【００１９】    さらに、テーブルと椅子１００との間に適当な間隔を確保したら、その位置が簡単に動かないほうが便利である。そのため脚１ａの床に接している面に滑り止めを設ければ度々椅子１００の位置を修正しなくてもよいので便利である。【００２０】  シャフト１１が長穴５の後部に位置しているとき、すなわちボール４が図６に示す直線形の誘導溝９の前部に位置しているとき、回転板７は回動するが椅子に掴まった時等に３６０度、自由に回動すると転倒の危険を生じるため、左に９０度、右に９０度、回動した位置で誘導溝９は終点となり、それ以上は回動しないようにして危険を防止している。【００２１】  図６に示す、回転板７が左右へ９０度、回動した位置で、図３に示す台座２の中心部左端、右端に設けたキャッチ具６が��図６に示すキャッチ具用突起１０をキャッチして軽く固定するため、回動を停止さすための操作を必要としない。【００２２】    図１に示すように脚１の下にキャスターが使用されていないため、椅子１００に掴まったり、座ろうとしたり、立ち上がろうとしたりしたとき、不意に椅子が動いて、そのために転倒することがない。
【図面の簡単な説明】
【００２３】
【図１】  本考案の椅子を示す斜視図である。
【図２】  本考案の足置き台を示す斜視図である。
【図３】  本考案の台座を示す斜視図である。
【図４】  本考案のキャッチ具とキャッチ具用突起を示す拡大斜視図である。
【図５】  本考案のシャフトとシャフト取付板を示す拡大斜視図である。
【図６】  本考案の回転板を示す底面図である。
【図７】  本考案のボールキャスターと誘導溝を示す拡大断面図である。
【図８】  本考案の椅子を示す平面図である。
【図９】  本考案の椅子を示す側面図である。
【図１０】  本考案の椅子を示す正面図である。
【図１１】  図８のＡ−Ａ断面図である。
【図１２】  図８のＢ−Ｂ断面図である。
【図１３】  本考案の座板底面と回転板平面を示す斜視図である。
【符号の説明】
【００２４】  １          脚部
１ａ        脚
２          台座
３          ボールキャスター（ボール部材）
４          ボール
５          長穴
７          回転板
９          第一の誘導溝
９ａ        第二の誘導溝
９ｂ        誘導溝分岐点
１１        シャフト
１５        座板
【図１】
0003127136.tif 000003
【図２】
0003127136.tif 000004
【図３】
0003127136.tif 000005
【図４】
0003127136.tif 000006
【図５】
0003127136.tif 000007
【図６】
0003127136.tif 000008
【図７】
0003127136.tif 000009
【図８】
0003127136.tif 000010
【図９】
0003127136.tif 000011
【図１０】
0003127136.tif 000012
【図１１】
0003127136.tif 000013
【図１２】
0003127136.tif 000014
【図１３】
0003127136.tif 000015